(57)【要約】【課題】低コストで汎用性が高い上に、貼付位置精度が良好で、保護膜体内への気泡の残留も少ない、貼付治具兼用包装部材およびその貼付方法を提供することを目的とする。【解決手段】本発明を適用した貼付治具兼用包装部材であるトレイ２は、表示画面１２ａに貼り付けて保護する保護フィルム４を収納するための収納凹部１１ａが形成された収納基板９と、収納凹部１１ａに下端１０ｂが連通され上端１０ｃがトレイ２の外側に開放される中空の連通枠１０とを備えるものであり、このトレイ２を利用した貼付方法は、トレイ２の取り出し工程と、トレイ２内の収納凹部１１ａから保護フィルム４を取り出し反転した後に収納凹部１１ａに戻す反転収納工程と、保護フィルム４の接着層６を表示画面１２ａ側に露出させる貼着層露出工程と、表示画面１２ａを接着層６に接触させて表示画面１２ａに保護フィルム４を貼り付ける移動貼付工程とを備えるものである。【選択図】図５
2016224168.tif 000002
【特許請求の範囲】
【請求項１】
被保護面に貼り付けて保護する保護膜体を収納するための収納凹部が形成された収納基部と、
前記収納凹部に一端が連通され他端が包装部材の外側に開放される中空の連通枠部とを備える
貼付治具兼用包装部材。
【請求項２】
前記収納基部で連通枠部と収納凹部との間にあって、該収納凹部内の保護膜体に略平行に設けた第一機能面と、
前記連通枠部の内壁にあって、前記第一機能面の外端縁から立設した第二機能面とを含む階段構造を有する
請求項１に記載の貼付治具兼用包装部材。
【請求項３】
前記収納凹部は、
該収納凹部に前記保護膜体が収納された場合に、該保護膜体の方が前記第一機能面よりも連通枠部の他端側に突出すべく形成される
請求項２に記載の貼付治具兼用包装部材。
【請求項４】
前記収納凹部は、
該収納凹部に前記保護膜体が収納された場合に、前記第一機能面の方が保護膜体よりも連通枠部の他端側に突出すべく形成される
請求項２に記載の貼付治具兼用包装部材。
【請求項５】
前記収納基部と連通枠部の少なくとも一方は、
該収納凹部に前記保護膜体が収納された場合に、該保護膜体と前記第一機能面の突出量差により生じた隙間を、部分変形によって圧着可能とする可撓性を有する
請求項４に記載の貼付治具兼用包装部材。
【請求項６】
機器の被保護面に貼着層を介して取り付けて該被保護面を保護する保護膜体を収納するための収納凹部が形成された収納基部と、
前記被保護面が貼着層と対向する対向位置まで機器が内壁に沿って移動して支持される中空の連通枠部とを備える
貼付治具兼用包装部材。
【請求項７】
収納凹部に保護膜体が収納された状態にある包装部材を包装体から取り出す取り出し工程と、
引き続いて前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、
該反転収納工程の途中または収納凹部に戻した後に、前記貼着層を覆う剥離材を保護膜体から引き剥がし、該貼着層を前記機器の被保護面側に露出させる貼着層露出工程と、
前記収納凹部に一端が連通され他端が包装部材の外側に開放された中空の連通枠部の内壁に沿って前記機器を移動し、該機器の被保護面を前記貼着層に接触させ、前記被保護面に保護膜体を貼り付ける移動貼付工程とを備える
貼付方法。
【請求項８】
収納凹部に保護膜体が収納された状態にある包装部材を包装体から取り出す取り出し工程と、
引き続いて前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、
該反転収納工程の途中または収納凹部に戻した後に、前記貼着層を覆う剥離材を保護膜体から引き剥がし、該貼着層を前記機器の被保護面側に露出させる貼着層露出工程と、
前記収納凹部に一端が連通され他端が包装部材の外側に開放された中空の連通枠部の内壁に沿って前記機器を移動し、該機器の被保護面を前記貼着層の近傍で所定の隙間をあけて配置する移動配置工程と、
前記収納凹部が形成された収納基部と前記連通枠部の少なくとも一方の可撓性に起因した部分変形により、前記隙間を圧着し、前記被保護面に保護膜体を貼り付ける変形貼付工程とを備える
貼付方法。
【請求項９】
収納凹部に保護膜体が収納された状態にある包装部材において、前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、
該反転収納工程の途中または収納凹部に戻した後に、前記貼着層を覆う剥離材を保護膜体から引き剥がし、該貼着層を前記機器の被保護面側に露出させる貼着層露出工程と、
前記収納凹部に一端が連通され他端が包装部材の外側に開放された中空の連通枠部の内壁に沿って前記機器を移動し、該機器の被保護面を前記貼着層に接触させ、前記被保護面に保護膜体を貼り付ける移動貼付工程とを備える
貼付方法。
【請求項１０】
収納凹部に保護膜体が収納された状態にある包装部材において、前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、
該反転収納工程の途中または収納凹部に戻した後に、前記貼着層を覆う剥離材を保護膜体から引き剥がし、該貼着層を前記機器の被保護面側に露出させる貼着層露出工程と、
前記収納凹部に一端が連通され他端が包装部材の外側に開放された中空の連通枠部の内壁に沿って前記機器を移動し、該機器の被保護面を前記貼着層の近傍で所定の隙間をあけて配置する移動配置工程と、
前記収納凹部が形成された収納基部と前記連通枠部の少なくとも一方の可撓性に起因した部分変形により、前記隙間を圧着し、前記被保護面に保護膜体を貼り付ける変形貼付工程とを備える
貼付方法。
【発明の詳細な説明】
【技術分野】
【０００１】
本発明は、貼付治具兼用包装部材およびその貼付方法に関する。詳しくは、低コストで汎用性が高い上に、貼付位置精度が良好で、保護膜体内への気泡の残留も少ない、貼付治具兼用包装部材およびその貼付方法に係わるものである。
【背景技術】
【０００２】
携帯型音楽プレーヤ、多機能携帯電話であるスマートフォン、板状の電子機器であるタブレット等の機器の表示画面に貼り付け、表示画面を保護したり、反射光を防止したりするための保護膜体としての保護フィルムが知られている。
【０００３】
しかしながら、保護フィルムは、透明で薄い板状の樹脂や硬質ガラスなどから形成されていることに加え、保護フィルムを表示画面上の所定位置に精度良く貼り付けたり、保護フィルムと表示画面との間に気泡が残らないようにしたりする必要から、被保護面である表示画面への保護フィルムの貼付作業が、極めて難しいものとなっている。
【０００４】
このような貼付作業に対しては、上下方向に貫通する内空洞部を形成した枠状の貼付治具で、内空洞部の上端開口に、下面に粘着層を有する保護フィルムを取り付け、その後、保護フィルムを取り付けた貼付治具を把持して下降し、貼付治具の内空洞部内に、表示画面を上方に向けた機器を通過させることにより、機器の表示画面に保護フィルムを貼り付ける技術が公知となっている（例えば、特許文献１参照）。
【先行技術文献】
【特許文献】
【０００５】
【特許文献１】特開２０１４−９８８９９号公報
【発明の概要】
【発明が解決しようとする課題】
【０００６】
しかしながら、前述した技術では、専用の金型を機器毎に新たに起こして貼付治具を製造することから、貼付治具は、高価な専用部品として、保護フィルムに同梱され、あるいは追加オプションとして別売りされる。このため、保護フィルムを収めたパッケージの販売価格が上昇し、あるいは貼付作業を簡単に行うのに高価な貼付治具をわざわざ購入しなければならなくなり、販売競争力が低下する。
【０００７】
更に、このように高価な貼付治具は、販売台数が多くて治具コストの回収が可能な機種にしか適用できない。このため、適用可能な機種範囲が狭くなり、貼付治具の汎用性も低い。
【０００８】
加えて、保護フィルムを取り付けた貼付治具を把持して下降しながら、下方に載置してある機器の表示画面に、保護フィルムの粘着層を接触させて貼り付けるようにしている。このため、機器への移動中に、貼付治具に対する保護フィルムの位置がずれたり、保護フィルムが機器の外周角部などに当たって大きく撓むなどして、保護フィルムと表示画面との間に気泡が侵入して残留する場合があった。
【０００９】
本発明は、以上の点に鑑みて創案されたものであり、低コストで汎用性が高い上に、貼付位置精度が良好で、保護膜体内への気泡の残留も少ない、貼付治具兼用包装部材およびその貼付方法を提供することを目的とする。
【課題を解決するための手段】
【００１０】
上記の目的を達成するために、本発明の貼付治具兼用包装部材は、被保護面に貼り付けて保護する保護膜体を収納するための収納凹部が形成された収納基部と、前記収納凹部に一端が連通され他端が包装部材の外側に開放される中空の連通枠部とを備えている。
【００１１】
そして、被保護面に貼り付けて保護する保護膜体を収納するための収納凹部が形成された収納基部と、収納凹部に一端が連通され他端が包装部材の外側に開放される中空の連通枠部とを備える、保護膜体用の包装部材が、保護膜体を被保護面に貼り付けるための貼付治具を兼用することによって、保護膜体の販売競争力を強化すると共に、汎用性の高い貼付治具を提供することができる。すなわち、貼付治具を高価な専用部品として、保護膜体に同梱したり、追加オプションとして別売りしたりする必要がなくなり、保護膜体を収めたパッケージの販売価格が低下し、貼付作業を簡単に行うのに高価な貼付治具の購入が不要になると共に、販売台数の少ない機種にも貼付治具を利用することができる。
【００１２】
更に、収納凹部に一端が連通され他端が包装部材の外側に開放される中空の連通枠部を備えることによって、貼着位置精度の向上や、保護膜体内への気泡残留の抑制を図ることができる。すなわち、保護膜体ではなく、被保護面を設けた機器を、連通枠部を通って収納凹部内の保護膜体まで安定して移動させることができ、保護膜体が移動する場合に発生する保護膜体の位置ずれや撓みをなくすことができる。
【００１３】
また、前記収納基部で連通枠部と収納凹部との間にあって、該収納凹部内の保護膜体に略平行に設けた第一機能面と、前記連通枠部の内壁にあって、前記第一機能面の外端縁から立設した第二機能面とを含む階段構造を有する場合には、第二機能面により、被保護面を設けた機器を保護膜体に対して位置決めすると共に、必要に応じて、第一機能面上に機器の外周角部を支持することができる。これにより、保護膜体と対向する被保護面の位置ずれを最小限に抑制し、貼付位置精度の更なる向上が図れると共に、必要に応じて、機器を第一機能面上で一旦支持してから被保護面と貼着層間を徐々に近接させるようにして、保護膜体内への気泡残留の更なる抑制を図ることもできる。
【００１４】
また、前記収納凹部が、該収納凹部に前記保護膜体が収納された場合に、該保護膜体の方が前記第一機能面よりも連通枠部の他端側に突出すべく形成される際には、被保護面を設けた機器が連通枠部を通って収納凹部内の保護膜体まで移動すると、機器の外周角部が第一機能面に載置される前に、機器の被保護面を保護膜体の貼着層に当接させることができる。これにより、連通枠部を通して機器を保護膜体側に移動させるだけの簡単な単一操作で、被保護面に保護膜体を貼り付けることができ、貼付作業の作業効率を向上させることができる。
【００１５】
また、前記収納凹部が、該収納凹部に前記保護膜体が収納された場合に、前記第一機能面の方が保護膜体よりも連通枠部の他端側に突出すべく形成される際には、被保護面を設けた機器が連通枠部を通って収納凹部内の保護膜体まで移動すると、機器の被保護面が保護膜体の貼着層に当接される前に、機器の外周角部を第一機能面に載置させることができる。これにより、連通枠部を通して機器を保護膜体側に移動させて第一機能面上で一旦支持した後、被保護面と貼着層間を徐々に近接させて緩やかな貼付作業を行うことができ、保護膜体内への気泡残留の更なる抑制を図ることができる。
【００１６】
また、前記収納基部と連通枠部の少なくとも一方は、該収納凹部に前記保護膜体が収納された場合に、該保護膜体と前記第一機能面の突出量差により生じた隙間を、部分変形によって圧着可能とする可撓性を有する場合には、被保護面を設けた機器や包装部材の加圧操作だけで、隙間をなくして被保護面に保護膜体を貼り付けることができる。これにより、特殊な構造を設けることなく、包装部材の有する特性を利用して緩やかな貼付作業を行うことができ、構造の簡素化による部材コストの低減を図ることができる。
【００１７】
また、上記の目的を達成するために、本発明の貼付治具兼用包装部材は、機器の被保護面に貼着層を介して取り付けて該被保護面を保護する保護膜体を収納するための収納凹部が形成された収納基部と、前記被保護面が貼着層と対向する対向位置まで機器が内壁に沿って移動して支持される中空の連通枠部とを備えている。
【００１８】
そして、機器の被保護面に貼着層を介して取り付けて被保護面を保護する保護膜体を収納するための収納凹部が形成された収納基部と、被保護面が貼着層と対向する対向位置まで機器が内壁に沿って移動して支持される中空の連通枠部とを備える、保護膜体用の包装部材が、保護膜体を機器の被保護面に貼り付けるための貼付治具を兼用することによって、保護膜体の販売競争力を強化すると共に、汎用性の高い貼付治具を提供することができる。すなわち、貼付治具を高価な専用部品として、保護膜体に同梱したり、追加オプションとして別売りしたりする必要がなくなり、保護膜体を収めたパッケージの販売価格が低下し、貼付作業を簡単に行うのに高価な貼付治具の購入が不要になると共に、販売台数の少ない機種にも貼付治具を利用することができる。
【００１９】
更に、被保護面が貼着層と対向する対向位置まで機器が内壁に沿って移動して支持される中空の連通枠部とを備えることによって、貼着位置精度の向上や、保護膜体内への気泡残留の抑制を図ることができる。すなわち、保護膜体ではなく、被保護面を設けた機器を、連通枠部を通って対向位置まで安定して移動させることができ、保護膜体が移動する場合に発生する保護膜体の位置ずれや撓みをなくすことができる。
【００２０】
また、上記の目的を達成するために、本発明の貼付方法は、収納凹部に保護膜体が収納された状態にある包装部材を包装体から取り出す取り出し工程と、引き続いて前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、該反転収納工程の途中または収納凹部に戻した後に、前記貼着層を覆う剥離材を保護膜体から引き剥がし、該貼着層を前記機器の被保護面側に露出させる貼着層露出工程と、前記収納凹部に一端が連通され他端が包装部材の外側に開放された中空の連通枠部の内壁に沿って前記機器を移動し、該機器の被保護面を前記貼着層に接触させ、前記被保護面に保護膜体を貼り付ける移動貼付工程とを備えている。
【００２１】
そして、収納凹部に保護膜体が収納された状態にある包装部材を包装体から取り出す取り出し工程を備えることによって、保護膜体を被保護面に貼り付ける貼付作業を早期に済ませることができる。すなわち、保護膜体を収めた包装体の開封作業中に、貼付治具を兼用可能な包装部材を取り出して貼付作業を行うことができる。
【００２２】
更に、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を機器の被保護面側に露出させる貼着層露出工程とを備えることによって、貼付可能な保護膜体を所定位置に確実に固定できる。すなわち、被保護面側に貼着層を露出した状態の保護膜体を、同保護膜体を収納する収納凹部内に確実に挿嵌し固定することができる。
【００２３】
加えて、収納凹部に一端が連通され他端が包装部材の外側に開放された中空の連通枠部の内壁に沿って機器を移動し、機器の被保護面を貼着層に接触させ、被保護面に保護膜体を貼り付ける移動貼付工程を備えることによって、貼着位置精度の向上や、保護膜体内への気泡残留の抑制も図ることができる。すなわち、保護膜体ではなく、被保護面を設けた機器を、連通枠部を通って収納凹部内の保護膜体まで安定して移動させることができ、保護膜体が移動する場合に発生する保護膜体の位置ずれや撓みをなくすことができる。
【００２４】
更に、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を機器の被保護面側に露出させる貼着層露出工程と、収納凹部に一端が連通され他端が包装部材の外側に開放された中空の連通枠部の内壁に沿って機器を移動し、機器の被保護面を貼着層に接触させ、被保護面に保護膜体を貼り付ける移動貼付工程とを備えることによって、所定の包装部材を利用して貼付作業を行うことができ、保護膜体の販売競争力を強化すると共に、汎用性の高い貼付治具を提供することができる。すなわち、貼付治具を高価な専用部品として、保護膜体に同梱したり、追加オプションとして別売りしたりする必要がなくなり、保護膜体を収めたパッケージの販売価格が低下し、貼付作業を簡単に行うのに高価な貼付治具の購入が不要になると共に、販売台数の少ない機種にも貼付治具を利用することができる。
【００２５】
また、上記の目的を達成するために、本発明の貼付方法は、収納凹部に保護膜体が収納された状態にある包装部材を包装体から取り出す取り出し工程と、引き続いて前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、該反転収納工程の途中または収納凹部に戻した後に、前記貼着層を覆う剥離材を保護膜体から引き剥がし、該貼着層を前記機器の被保護面側に露出させる貼着層露出工程と、前記収納凹部に一端が連通され他端が包装部材の外側に開放された中空の連通枠部の内壁に沿って前記機器を移動し、該機器の被保護面を前記貼着層の近傍で所定の隙間をあけて配置する移動配置工程と、前記収納凹部が形成される収納基部と前記連通枠部の少なくとも一方の可撓性に起因した部分変形により、前記隙間を圧着し、前記被保護面に保護膜体を貼り付ける変形貼付工程とを備えている。
【００２６】
そして、収納凹部に保護膜体が収納された状態にある包装部材を包装体から取り出す取り出し工程を備えることによって、保護膜体を被保護面に貼り付ける貼付作業を早期に済ませることができる。すなわち、保護膜体を収めた包装体の開封作業中に、貼付治具を兼用可能な包装部材を取り出して貼付作業を行うことができる。
【００２７】
更に、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を前記機器の被保護面側に露出させる貼着層露出工程とを備えることによって、貼付可能な保護膜体を所定位置に確実に固定できる。すなわち、被保護面側に貼着層を露出した状態の保護膜体を、同保護膜体を収納する収納凹部内に確実に挿嵌し固定することができる。
【００２８】
加えて、収納凹部に一端が連通され他端が包装部材の外側に開放された中空の連通枠部の内壁に沿って機器を移動し、機器の被保護面を貼着層の近傍で所定の隙間をあけて配置する移動配置工程を備えることによって、貼着位置精度の向上や、保護膜体内への気泡残留の著しい抑制を図ることができる。すなわち、保護膜体ではなく、被保護面を設けた機器を、連通枠部を通って収納凹部内の保護膜体まで安定して移動させることができ、保護膜体が移動する場合に発生する保護膜体の位置ずれや撓みをなくすことができ、しかも、移動してきた機器を一旦貼着層の近傍に配置した後、被保護面と貼着層間を徐々に近接させて緩やかな貼付作業を行うことができる。
【００２９】
更に、収納凹部が形成された収納基部と連通枠部の少なくとも一方の可撓性に起因した部分変形により、隙間を圧着し、被保護面に保護膜体を貼り付ける変形貼付工程を備えることによって、貼付作業の作業負担を軽減することができる。すなわち、隙間を圧着方向に加圧するだけの簡単な動作で貼付作業を行うことができる。
【００３０】
加えて、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を機器の被保護面側に露出させる貼着層露出工程と、収納凹部に一端が連通され他端が包装部材の外側に開放された中空の連通枠部の内壁に沿って機器を移動し、機器の被保護面を貼着層の近傍で所定の隙間をあけて配置する移動配置工程と、収納凹部が形成された収納基部と連通枠部の少なくとも一方の可撓性に起因した部分変形により、隙間を圧着し、被保護面に保護膜体を貼り付ける変形貼付工程とを備えることによって、所定の包装部材を利用して貼付作業を行うことができ、保護膜体の販売競争力を強化すると共に、汎用性の高い貼付治具を提供することができる。すなわち、貼付治具を高価な専用部品として、保護膜体に同梱したり、追加オプションとして別売りしたりする必要がなくなり、保護膜体を収めたパッケージの販売価格が低下し、貼付作業を簡単に行うのに高価な貼付治具の購入が不要になると共に、販売台数の少ない機種にも貼付治具を利用することができる。
【００３１】
また、上記の目的を達成するために、本発明の貼付方法は、収納凹部に保護膜体が収納された状態にある包装部材において、前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、該反転収納工程の途中または収納凹部に戻した後に、前記貼着層を覆う剥離材を保護膜体から引き剥がし、該貼着層を前記機器の被保護面側に露出させる貼着層露出工程と、前記収納凹部に一端が連通され他端が包装部材の外側に開放された中空の連通枠部の内壁に沿って前記機器を移動し、該機器の被保護面を前記貼着層に接触させ、前記被保護面に保護膜体を貼り付ける移動貼付工程とを備えている。
【００３２】
そして、収納凹部に保護膜体が収納された状態にある包装部材において、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を機器の被保護面側に露出させる貼着層露出工程とを備えることによって、貼付可能な保護膜体を所定位置に確実に固定できる。すなわち、被保護面側に貼着層を露出した状態の保護膜体を、同保護膜体を収納する収納凹部内に確実に挿嵌し固定することができる。
【００３３】
更に、収納凹部に一端が連通され他端が包装部材の外側に開放された中空の連通枠部の内壁に沿って機器を移動し、機器の被保護面を貼着層に接触させ、被保護面に保護膜体を貼り付ける移動貼付工程を備えることによって、貼着位置精度の向上や、保護膜体内への気泡残留の抑制も図ることができる。すなわち、保護膜体ではなく、被保護面を設けた機器を、連通枠部を通って収納凹部内の保護膜体まで安定して移動させることができ、保護膜体が移動する場合に発生する保護膜体の位置ずれや撓みをなくすことができる。
【００３４】
加えて、収納凹部に保護膜体が収納された状態にある包装部材において、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を機器の被保護面側に露出させる貼着層露出工程と、収納凹部に一端が連通され他端が包装部材の外側に開放された中空の連通枠部の内壁に沿って機器を移動し、機器の被保護面を貼着層に接触させ、被保護面に保護膜体を貼り付ける移動貼付工程とを備えることによって、所定の包装部材を利用して貼付作業を行うことができ、保護膜体の販売競争力を強化すると共に、汎用性の高い貼付治具を提供することができる。すなわち、貼付治具を高価な専用部品として、保護膜体に同梱したり、追加オプションとして別売りしたりする必要がなくなり、保護膜体を収めたパッケージの販売価格が低下し、貼付作業を簡単に行うのに高価な貼付治具の購入が不要になると共に、販売台数の少ない機種にも貼付治具を利用することができる。
【００３５】
また、上記の目的を達成するために、本発明の貼付方法は、収納凹部に保護膜体が収納された状態にある包装部材において、前記収納凹部から保護膜体を取り出し、該取り出した保護膜体の貼着層が機器の被保護面側に対向できるように保護膜体を反転し、該反転した保護膜体を前記収納凹部に再び戻す反転収納工程と、該反転収納工程の途中または収納凹部に戻した後に、前記貼着層を覆う剥離材を保護膜体から引き剥がし、該貼着層を前記機器の被保護面側に露出させる貼着層露出工程と、前記収納凹部に一端が連通され他端が包装部材の外側に開放された中空の連通枠部の内壁に沿って前記機器を移動し、該機器の被保護面を前記貼着層の近傍で所定の隙間をあけて配置する移動配置工程と、前記収納凹部が形成された収納基部と前記連通枠部の少なくとも一方の可撓性に起因した部分変形により、前記隙間を圧着し、前記被保護面に保護膜体を貼り付ける変形貼付工程とを備えている。
【００３６】
そして、収納凹部に保護膜体が収納された状態にある包装部材において、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を機器の被保護面側に露出させる貼着層露出工程とを備えることによって、貼付可能な保護膜体を所定位置に確実に固定できる。すなわち、被保護面側に貼着層を露出した状態の保護膜体を、同保護膜体を収納する収納凹部内に確実に挿嵌し固定することができる。
【００３７】
更に、収納凹部に一端が連通され他端が包装部材の外側に開放された中空の連通枠部の内壁に沿って機器を移動し、機器の被保護面を前記貼着層の近傍で所定の隙間をあけて配置する移動配置工程を備えることによって、貼着位置精度の向上や、保護膜体内への気泡残留の著しい抑制を図ることができる。すなわち、保護膜体ではなく、被保護面を設けた機器を、連通枠部を通って収納凹部内の保護膜体まで安定して移動させることができ、保護膜体が移動する場合に発生する保護膜体の位置ずれや撓みをなくすことができ、しかも、移動してきた機器を一旦貼着層の近傍に配置した後、被保護面と貼着層間を徐々に近接させて緩やかな貼付作業を行うことができる。
【００３８】
加えて、収納凹部が形成された収納基部と連通枠部の少なくとも一方の可撓性に起因した部分変形により、隙間を圧着し、被保護面に保護膜体を貼り付ける変形貼付工程を備えることによって、貼付作業の作業負担を軽減することができる。すなわち、隙間を圧着方向に加圧するだけの簡単な動作で貼付作業を行うことができる。
【００３９】
更に、収納凹部に保護膜体が収納された状態にある包装部材において、収納凹部から保護膜体を取り出し、取り出した保護膜体の貼着層が機器の被保護面側に対向できるように保護膜体を反転し、反転した保護膜体を収納凹部に再び戻す反転収納工程と、反転収納工程の途中または収納凹部に戻した後に、貼着層を覆う剥離材を保護膜体から引き剥がし、貼着層を機器の被保護面側に露出させる貼着層露出工程と、収納凹部に一端が連通され他端が包装部材の外側に開放された中空の連通枠部の内壁に沿って機器を移動し、機器の被保護面を貼着層の近傍で所定の隙間をあけて配置する移動配置工程と、収納凹部が形成された収納基部と連通枠部の少なくとも一方の可撓性に起因した部分変形により、隙間を圧着し、被保護面に保護膜体を貼り付ける変形貼付工程とを備えることによって、所定の包装部材を利用して貼付作業を行うことができ、保護膜体の販売競争力を強化すると共に、汎用性の高い貼付治具を提供することができる。すなわち、貼付治具を高価な専用部品として、保護膜体に同梱したり、追加オプションとして別売りしたりする必要がなくなり、保護膜体を収めたパッケージの販売価格が低下し、貼付作業を簡単に行うのに高価な貼付治具の購入が不要になると共に、販売台数の少ない機種にも貼付治具を利用することができる。
【発明の効果】
【００４０】
本発明に係わる貼付治具兼用包装部材およびその方法は、低コストで汎用性が高い上に、貼付位置精度が良好で、保護膜体内への気泡の残留も少ないものとなっている。
【図面の簡単な説明】
【００４１】
【図１】本発明に係わる包装部材であるトレイを含むパッケージの全体構成を示す平面図である。
【図２】保護フィルムが収納保持された内ケースの平面図である。
【図３】保護フィルムの収納状況を示す図２のＡ−Ａ矢視断面図である。
【図４】携帯機器への保護フィルムの貼付作業の作業構成を示す斜視図である。
【図５】保護フィルムの接着層の方が載置支持面よりも上方に位置するトレイの外周断面図である。
【図６】貼付作業の手順を示すトレイの外周断面図であって、図６（ａ）は取り出し工程、図６（ｂ）は反転収納工程の反転時、図６（ｃ）は反転収納工程の収納時、図６（ｄ）は貼着層露出工程におけるトレイの外周断面図である。
【図７】貼付作業の手順を示すトレイの外周断面図であって、図７（ａ）は移動貼付工程の機器移動時、図７（ｂ）は移動貼付工程の機器貼付時におけるトレイの外周断面図である。
【図８】載置支持面の方が保護フィルムの接着層よりも上方に位置するトレイの外周断面図である。
【図９】貼付作業の手順を示す、別形態のトレイの外周断面図であって、図９（ａ）は移動配置工程の機器移動時、図９（ｂ）は移動配置工程の機器載置時、図９（ｃ）は変形貼付工程の機器貼付時におけるトレイの外周断面図である。
【発明を実施するための形態】
【００４２】
以下、貼付治具兼用包装部材であるトレイに関する本発明の実施の形態について、図面を参照しながら説明し、本発明の理解に供する。
なお、図４の矢印Ｆで示す方向を前方とし、矢印Ｔで示す方向を上方とし、以下で述べる各部の位置や方向等はこの前方と上方を基準とするものである。
【００４３】
まず、本発明を適用した包装部材の一例であるトレイ２を有するパーケージ１について、その全体構成を図１乃至図４により説明する。
図１に示すように、包装体であるパッケージ１は、保護フィルム４を収納して固定し保護する内ケース１４と、内ケース１４を収めて陳列するための箱状の外ケース３とから構成される。
【００４４】
このうちの外ケース３は、中空のケース本体３ｂと、ケース本体３ｂの前辺から前方に突出する吊下げ部３ａとから構成される。
【００４５】
吊下げ部３ａには、吊下げ部３ａを上下に貫通する掛止孔３ａ１が穿孔され、掛止孔３ａ１に、図示せぬ陳列棚のアームを内挿することにより、パッケージ１が陳列棚から吊下げられるようにしている。そして、ケース本体３ｂ内に、前述した内ケース１４が収められている。
【００４６】
図２、図３に示すように、内ケース１４は、トレイ２を、そのトレイ２の上面形状に沿って形成されたトレイカバー１３で覆うことによって構成される。そして、トレイ２とトレイカバー１３のいずれも、ＰＥＴ（ポリエチレンテレフタレート）などのような、透明で可撓性に富んだ素材によって形成されている。
【００４７】
このうちのトレイ２は、収納基板９の外周部から、図４に示すような携帯機器１２の外周側面１２ｃを支持する中空の連通枠１０が立設されて一体的に形成されると共に、収納基板９の上方で連通枠１０によって囲まれた空間には、ケース凹部１１が形成される。
【００４８】
このケース凹部１１の平面視略中央位置における収納基板９の上部には、収納凹部１１ａが凹設され、この収納凹部１１ａに、前述した保護フィルム４を含むフィルム積層体８の下半部が挿嵌される一方、フィルム積層体８の上半部は、トレイカバー１３の下面凹部１３ａに挿嵌されている。
【００４９】
これにより、収納凹部１１ａに連通枠１０の下端１０ｂを連通し、連通枠１０の上端１０ｃをトレイ２の外側に開放することができ、携帯機器１２が連通枠１０を介して収納凹部１１ａまで移動できるようにしている。加えて、フィルム積層体８をトレイ２とトレイカバー１３との間で挟持することができ、保護フィルム４を内ケース１４の内部に収納して固定し保護できるようにしている。
【００５０】
更に、このフィルム積層体８は、保護フィルム４と剥離シート７とを上下に積層して成る２層構造を有している。
【００５１】
保護フィルム４も、フィルム本体５と、フィルム本体５の下面に形成された接着層６とから成る２層構造を有し、この接着層６に、前述した剥離シート７が下方より接着されている。
【００５２】
以上のような構成において、内ケース１４の内部にフィルム積層体８を収納して固定し保持したものを、外ケース３内に収めることにより、保護フィルム４を収納したパッケージ１が形成される。
【００５３】
次に、トレイ２による貼付構成について、図１乃至図７により説明する。
パッケージ１に収容して固定する保護フィルム４を、肉厚の矩形板状の携帯機器１２の表示画面１２ａに貼付する場合を例に説明する。なお、以下では、フィルム積層体８中の主要な部材である保護フィルム４を中心にして説明する。
【００５４】
図１乃至図３に示すように、初めに、保護フィルム４を収めたパッケージ１において、外ケース３の中空のケース本体３ｂを開いてから内ケース１４を取り出し、その後、内ケース１４において、トレイカバー１３を把持してトレイ２から取り外すようにして、収納凹部１１ａに保護フィルム４が収納された状態にあるトレイ２をパッケージ１から取り出す取り出し工程が行われる。
【００５５】
続いて、図６（ａ）に示すように、トレイ２において、収納凹部１１ａから保護フィルム４を上方に取り出した後、図６（ｂ）に示すように、保護フィルム４を上下反転し、フィルム本体５の下面にあった接着層６を、フィルム本体５の上面に移動させ、更に、図６（ｃ）に示すように、保護フィルム４を下降させて収納凹部１１ａ内に再び戻すようにして、反転収納工程が行われる。
【００５６】
その後、図６（ｄ）に示すように、接着層６を覆う剥離シート７を上方に引っ張って保護フィルム４から引き剥がし、接着層６が携帯機器１２の表示画面１２ｂ１側、つまり上側に露出するようにして、貼着層露出工程が行われる。なお、剥離シート７の引き剥がしは、保護フィルム４を収納凹部１１ａ内に戻してから行うのではなく、前述した反転収納工程の途中で行ってもよく、確実に引き剥がせるタイミングであればよく、特に限定されるものではない。
【００５７】
ここで、収納凹部１１ａを有するケース凹部１１の詳細構成について説明する。
図４、図５に示すように、ケース凹部１１は、前述した収納凹部１１ａと、携帯機器１２の外周下角部１２ｂが嵌合可能な嵌合凹部１１ｂとから構成される。
【００５８】
このうちの収納凹部１１ａは、略水平な底面９ａと、底面９ａの外周端から垂直に立設される内壁面９ｂとから形成されている。
【００５９】
更に、嵌合凹部１１ｂにおいて、収納凹部１１ａの内壁面９ｂの上端縁からは、携帯機器１２の外周下角部１２ｂの下面１２ｂ１を載置可能な第一機能面としての載置支持面９ｃが、外側方に延設されている。そして、この載置支持面９ｃは、収納基板９で連通枠１０と収納凹部１１ａとの間にあって、収納凹部１１ａ内の保護フィルム４に略平行に設けられている。
【００６０】
加えて、載置支持面９ｃの外端縁からは、携帯機器１２の外周下角部１２ｂの側面下部１２ｂ２を側方から外嵌支持可能な第二機能面としての外嵌支持面１０ａ１が、垂直に立設されている。そして、この外嵌支持面１０ａ１は、連通枠１０の内壁１０ａに設けられている。
【００６１】
これにより、ケース凹部１１内には、収納凹部１１ａから連通枠１０にかけて、底面９ａ、内壁面９ｂ、携帯機器１２の外周下角部１２ｂの下面１２ｂ１を載置する載置支持面９ｃ、及び外周下角部１２ｂの側面下部１２ｂ２を外嵌支持する外嵌支持面１０ａ１が、外方に向かって順に連設されて階段構造１７が形成される。
【００６２】
更に、外嵌支持面１０ａ１によって囲まれた領域部分２４は、略水平姿勢を維持した携帯機器１２と、平面視で略同じ寸法に形成されており、携帯機器１２の外周下角部１２ｂの側面下部１２ｂ２が、連通枠１０の外嵌支持面１０ａ１に当接され、携帯機器１２が保護フィルム４に対して横方向で位置決めされるようにしている。
【００６３】
以上のような構成において、下降してケース凹部１１の上端開口１１ｃから内壁１０ａに挿入された携帯機器１２は、横方向に大きく外れることなく、連通枠１０の内壁１０ａに沿って外嵌支持面１０ａ１に向かって移動する。
【００６４】
そして、図７（ａ）に示すように、被保護面である表示画面１２ａが外嵌支持面１０ａ１の上端まで移動し、携帯機器１２が接着層６と対向する対向位置１５に達すると、外周下角部１２ｂの側面下部１２ｂ２が外嵌支持面１０ａ１に外嵌されて摺動するようになり、保護フィルム４に対する表示画面１２ａの横方向への位置ずれが非常に小さくなる。つまり、前述した階段構造１７の一部の外嵌支持面１０ａ１を利用するだけで、携帯機器１２を接着層６に向かって、位置ずれすることなく安定して移動させることができるのである。
【００６５】
ここで、図５に示すように、収納凹部１１ａの深さ１８が、収納凹部１１ａに挿嵌する保護フィルム４の厚さ１９よりも小さく設定されているため、保護フィルム４の方が、載置支持面９ｃよりも上端１０ｃの側、つまり上側に突出されている。
【００６６】
そこで、図７（ｂ）に示すように、既に対向位置１５にあった携帯機器１２が、略水平姿勢に維持したままで下降して対向位置１６に達すると、接着層６が表示画面１２ａに接触して接着され、この表示画面１２ａが保護フィルム４のフィルム本体５によって覆われるようになる。
【００６７】
これにより、保護フィルム４ではなく、表示画面１２ａを設けた携帯機器１２を、連通枠１０を通って収納凹部１１ａ内の保護フィルム４まで安定して移動させ、表示画面１２ａに接着層６を介して保護フィルム４を取り付けることができ、保護フィルム４用のトレイ２を、保護フィルム４を表示画面１２ａに貼り付けるための貼付治具として機能させることができる。
【００６８】
このようにして、収納凹部１１ａに下端１０ｂが連通され上端１０ｃがトレイ２の外側に開放された中空の連通枠１０の内壁１０ａに沿って携帯機器１２を移動し、この携帯機器１２の表示画面１２ａを接着層６に接触させ、表示画面１２ａに保護フィルム４を貼り付ける移動貼付工程が行われる。
【００６９】
なお、本実施例では、図４に示すように、保護フィルム４は、略水平姿勢を維持した携帯機器１２と、平面視で略同じ寸法に形成されており、表示画面１２ａ以外の部分も覆うようにしているが、平面視で表示画面１２ａよりもわずかに大きい寸法に設定してもよく、機種に応じて適した貼付範囲に変更することができ、保護フィルム４の貼付範囲は、特に限定されるものではない。
【００７０】
更に、本実施例では、図５に示すように、連通枠１０の内壁１０ａの下部に位置する外嵌支持面１０ａ１のみが、携帯機器１２の側面下部１２ｂ２に外嵌するようにしているが、内壁１０ａ全体の内壁面が側面下部１２ｂ２に外嵌するようにしてもよく、保護フィルム４近傍で携帯機器１２の外周下角部１２ｂが確実に外嵌支持できれば、外嵌範囲は特に限定されない。
【００７１】
次に、別形態のトレイ２Ａについて、図８、図９により説明する。
トレイ２Ａは、図５のトレイ２における収納凹部１１ａの深さ１８を一層深くすることにより、最下位置にある携帯機器１２の表示画面１２ａと接着層６との間に隙間２０を設けて、緩やかな貼付作業を可能としたものである。
【００７２】
このトレイ２Ａも、収納基板２９と連通枠３０とから構成され、収納基板２９上方で連通枠３０に囲まれた空間に、ケース凹部３１が形成されている。
【００７３】
そして、ケース凹部３１も、トレイ２と同様に、収納基板２９の上部に形成された収納凹部３１ａと、携帯機器１２の外周下角部１２ｂが嵌合可能な嵌合凹部３１ｂとから構成され、このうちの収納凹部３１ａは、略水平な底面２９ａと内壁面２９ｂとから形成されている。
【００７４】
更に、嵌合凹部３１ｂは、内壁面２９ｂの上端縁に連結されて外周下角部１２ｂの下面１２ｂ１を載置可能な載置支持面２９ｃと、連通枠３０の内壁３０ａにあって、外周下角部１２ｂの側面下部１２ｂ２を側方から外嵌支持可能な外嵌支持面３０ａ１とから形成されている。
【００７５】
これにより、ケース凹部３１内には、収納凹部３１ａから連通枠３０にかけて、底面２９ａ、内壁面２９ｂ、載置支持面２９ｃ、及び外嵌支持面３０ａ１が、外方に向かって順に連設されて、前述した階段構造１７と同様な階段構造３７が形成される。
【００７６】
以上のような構成において、前述した取り出し工程、反転収納工程、及び貼着層露出工程を経た後、図９（ａ）に示すように、被保護面である表示画面１２ａが外嵌支持面３０ａ１の上端まで移動し、携帯機器１２が接着層６と対向する対向位置１５に達すると、外周下角部１２ｂの側面下部１２ｂ２が外嵌支持面１０ａ１に外嵌されて摺動するようになる。
【００７７】
ここで、図８に示すように、収納凹部３１ａの深さ１８Ａが、収納凹部３１ａに挿嵌する保護フィルム４の厚さ１９よりも大きく設定されているため、載置支持面２９ｃの方が、保護フィルム４よりも上端３０ｃの側、つまり上側に突出されている。
【００７８】
そこで、図９（ｂ）に示すように、既に対向位置１５にあった携帯機器１２が、略水平姿勢に維持したままで下降して対向位置２１に達すると、携帯機器１２の外周下角部１２ｂの下面１２ｂ１が載置支持面２９ｃに当接して載置され、携帯機器１２の表示画面１２ａと接着層６の間に、保護フィルム４と載置支持面２９ｃの突出量差により生じた隙間２０が形成される。
【００７９】
つまり、収納凹部３１ａに下端３０ｂが連通され上端３０ｃがトレイ２Ａの外側に開放された中空の連通枠３０の内壁３０ａに沿って携帯機器１２を移動し、携帯機器１２の表示画面１２ａを接着層６の近傍で所定の隙間２０をあけて配置するようにして、移動配置工程が行われる。
【００８０】
ここで、トレイ２Ａを構成する収納基部２９と外周支持部３０とは、前述した収納基部９と外周支持部１０と同様に、ＰＥＴなどの透明で可撓性に富む素材によって一体的に形成されている。
【００８１】
そこで、図９（ｃ）に示すように、トレイ２Ａの収納基板２９の下面２９ｄを矢印２２の方向に押し上げると、収納基板２９が部分変形して表示画面１２ａと接着層６が互いに徐々に接近し、最後には隙間２０が圧着されてなくなり、表示画面１２ａに保護フィルム４が貼り付けられて覆われるようにして、変形貼付工程が行われる。
【００８２】
なお、図８に示すように、携帯機器１２を、矢印２２と反対方向の矢印２３の方向に押し込んで、収納基板２９を部分変形させてもよく、収納基板２９と連通枠３０の少なくとも一方の可撓性を利用して隙間２０を圧着できればよく、部分変形の態様は特に限定されるものではない。
【００８３】
このように、携帯機器１２を外嵌支持面３０ａ１に外嵌させながら下方に摺動させて載置支持面２９ｃ上で一旦支持した後、表示画面１２ａと接着層６間を徐々に近接させるだけで、特殊な構造を設けることなく緩やかな貼付作業を行うことができる。
【００８４】
すると、保護フィルム４と表示画面１２ａとの間からの気泡の移動排出時間を十分に確保することができ、保護フィルム４内への気泡残留を確実に抑制することができるのである。
【００８５】
なお、以上の実施例で述べた貼付治具兼用のトレイ２・２Ａは、携帯型音楽プレーヤ、多機能携帯電話であるスマートフォン、板状の電子機器であるタブレット等のいずれの機器用の保護フィルムを収めるものであってもよく、特に限定されるものではない。
【００８６】
以上のように、本発明を適用した貼付治具兼用包装部材およびその方法は、低コストで汎用性が高い上に、貼付位置精度が良好で、保護膜体内への気泡の残留も少ないものとなっている。
【符号の説明】
【００８７】
１  パッケージ
２・２Ａ  トレイ
４  保護フィルム
６  接着層
７  剥離シート
９・２９  収納基板
１０・３０  連通枠
１０ａ・３０ａ  内壁
１０ｂ・３０ｂ  下端
１０ｃ・３０ｃ  上端
１１ａ・３１ａ  収納凹部
１２  携帯機器
１２ａ  表示画面
１５・１６・２１  対向位置
２０  隙間
【図１】
2016224168.tif 000003
【図２】
2016224168.tif 000004
【図３】
2016224168.tif 000005
【図４】
2016224168.tif 000006
【図５】
2016224168.tif 000007
【図６】
2016224168.tif 000008
【図７】
2016224168.tif 000009
【図８】
2016224168.tif 000010
【図９】
2016224168.tif 000011